(57)【要約】【課題】ユーザの所望の画像を形成する。【解決手段】プリンタ１は、印刷する画像に使用するトナーの種類を判定する記録媒体判定部５３と、印刷に使用する用紙の種類を判定する印刷モード判定部６０と、記録媒体判定部５３と印刷モード判定部６０との判定結果に基づいて印刷方法を選択する印刷モード選択部６２を設ける。【選択図】図７
2016177173.tif 000002
【特許請求の範囲】
【請求項１】
印刷する画像に使用する現像剤の種類を判定する現像剤種類判定手段と、
印刷に使用する用紙の種類を判定する用紙種類判定手段と、
前記現像剤種類判定手段と前記用紙種類判定手段との判定結果に基づいて印刷方法を選択する印刷方法選択手段と
を有する画像形成装置。
【請求項２】
前記現像剤種類判定手段が判定する前記現像剤の種類は前記現像剤の色である
請求項１に記載の画像形成装置。
【請求項３】
前記用紙種類判定手段が判定する前記用紙の種類は前記用紙の透明度である
請求項２に記載の画像形成装置。
【請求項４】
前記用紙種類判定手段が判定する前記用紙の種類は前記用紙の色である
請求項２に記載の画像形成装置。
【請求項５】
前記印刷方法選択手段は、前記現像剤の種類が発光現像剤であると前記現像剤種類判定手段に判定され、且つ前記用紙の種類が透明用紙であると前記用紙種類判定手段に判定された場合、前記発光現像剤に重ねて、該発光現像剤とは発光する特性が異なる他の発光現像剤を印刷する印刷方法を選択する
請求項３に記載の画像形成装置。
【請求項６】
前記印刷方法選択手段により選択された前記印刷方法に基づき前記用紙に印刷を行う印刷手段をさらに有し、
前記印刷手段は、前記発光現像剤を前記用紙に印刷した後に、該発光現像剤に重ねて前記他の発光現像剤を印刷する
請求項５に記載の画像形成装置。
【請求項７】
前記印刷方法選択手段により選択された前記印刷方法に基づき前記用紙に印刷を行う印刷手段をさらに有し、
前記印刷手段は、前記他の発光現像剤を前記用紙の全面に印刷する
請求項５に記載の画像形成装置。
【請求項８】
前記印刷方法選択手段により選択された前記印刷方法に基づき前記用紙に印刷を行う印刷手段をさらに有し、
前記印刷手段は、前記用紙において前記発光現像剤を用いる画像の領域と重なるよう前記他の発光現像剤を前記用紙に印刷する
請求項５に記載の画像形成装置。
【請求項９】
前記印刷方法選択手段により選択された前記印刷方法に基づき前記用紙に印刷を行う印刷手段をさらに有し、
前記印刷手段は、前記発光現像剤に重ねて有色現像剤を前記用紙に印刷する
請求項５に記載の画像形成装置。
【請求項１０】
前記他の発光現像剤は、同じ波長帯において前記発光現像剤とは発光する色が異なる現像剤である
請求項５に記載の画像形成装置。
【請求項１１】
前記他の発光現像剤は、紫外線が照射された際前記発光現像剤とは発光する色が異なる蛍光現像剤である
請求項５に記載の画像形成装置。
【請求項１２】
前記印刷方法選択手段は、前記現像剤種類判定手段と前記用紙種類判定手段との判定結果の組み合わせにより前記印刷方法を選択する
請求項４に記載の画像形成装置。
【請求項１３】
前記印刷方法選択手段は、前記用紙種類判定手段に判定された前記用紙の色の種類と、前記現像剤種類判定手段に判定された、印刷される画像に設定された前記現像剤の色の種類との組み合わせが、特定の組み合わせであった場合、前記現像剤を他の現像剤に変更して印刷する印刷方法を選択する
請求項１２に記載の画像形成装置。
【請求項１４】
前記他の現像剤は、前記現像剤のほぼ補色となる色の現像剤である
請求項１３に記載の画像形成装置。
【請求項１５】
前記印刷方法をユーザに選択させる印刷モード選択手段をさらに有し、
前記印刷方法選択手段は、ユーザに選択された前記印刷方法を選択する
請求項１に記載の画像形成装置。
【請求項１６】
前記印刷方法選択手段は、前記印刷方法として、印刷の中止を選択する
請求項１に記載の画像形成装置。
【請求項１７】
前記印刷方法選択手段は、前記現像剤のうち特定の前記現像剤のみ印刷しない印刷方法を選択する
請求項３に記載の画像形成装置。
【請求項１８】
前記印刷方法選択手段は、前記現像剤のうち特定の前記現像剤を他の現像剤に変更して印刷する印刷方法を選択する
請求項４に記載の画像形成装置。
【請求項１９】
前記印刷方法を記憶する印刷方法記憶手段を有し、
前記印刷方法選択手段は、前記現像剤種類判定手段と前記用紙種類判定手段との判定結果に基づいて前記印刷方法記憶手段より印刷方法を選択する
請求項１に記載の画像形成装置。
【請求項２０】
印刷する画像に使用する現像剤の種類を所定の現像剤種類判定手段により判定する現像剤種類判定ステップと、
印刷に使用する用紙の種類を所定の用紙種類判定手段により判定する用紙種類判定ステップと、
前記現像剤種類判定手段と前記用紙種類判定手段との判定結果に基づいて所定の印刷方法選択手段により印刷方法を選択する印刷方法選択ステップと
を有する画像形成方法。
【発明の詳細な説明】
【技術分野】
【０００１】
本発明は画像形成装置及び画像形成方法に関し、電子写真方式を用いて記録媒体に画像を形成する画像形成装置に適用して好適なものである。
【背景技術】
【０００２】
従来、カラー電子写真プリンタ等のカラー画像形成装置では、感光体、帯電手段、露光手段、現像手段等からなるプロセスユニットが複数用いられる。タンデム方式のカラー画像形成装置は、例えばブラック、イエロー、マゼンタ、シアンのプロセスユニットが順に並べられ、各色のプロセスユニットにより中間転写ベルト上に順次トナー画像が１次転写され、１次転写されたトナー画像が記録媒体に２次転写される（例えば、特許文献１参照）。
【先行技術文献】
【特許文献】
【０００３】
【特許文献１】特開２０１１−６４９１７号公報
【発明の概要】
【発明が解決しようとする課題】
【０００４】
そのような画像形成装置においては、用紙の種類に応じて、よりユーザの所望の画像を形成することが望まれている。
【０００５】
本発明は以上の点を考慮してなされたもので、よりユーザの所望の画像を形成し得る画像形成装置を提案しようとするものである。
【課題を解決するための手段】
【０００６】
かかる課題を解決するため本発明の画像形成装置においては、印刷する画像に使用する現像剤の種類を判定する現像剤種類判定手段と、印刷に使用する用紙の種類を判定する用紙種類判定手段と、現像剤種類判定手段と用紙種類判定手段との判定結果に基づいて印刷方法を選択する印刷方法選択手段とを設けるようにした。
【０００７】
また本発明の画像形成方法においては、印刷する画像に使用する現像剤の種類を所定の現像剤種類判定手段により判定する現像剤種類判定ステップと、印刷に使用する用紙の種類を所定の用紙種類判定手段により判定する用紙種類判定ステップと、現像剤種類判定手段と用紙種類判定手段との判定結果に基づいて所定の印刷方法選択手段により印刷方法を選択する印刷方法選択ステップとを設けるようにした。
【０００８】
これにより本発明は、印刷する画像に使用する現像剤の種類と、印刷に使用する用紙の種類とに基づいて、ユーザの所望の画像を形成する印刷方法を選択することができる。
【発明の効果】
【０００９】
本発明によれば、印刷する画像に使用する現像剤の種類と、印刷に使用する用紙の種類とに基づいて、ユーザの所望の画像を形成する印刷方法を選択することができる。かくして本発明は、よりユーザの所望の画像を形成し得る画像形成装置及び画像形成方法を実現できる。
【図面の簡単な説明】
【００１０】
【図１】印刷システムの構成を示す図である。
【図２】ホストコンピュータの構成を示すブロック図である。
【図３】第１の実施の形態によるプリンタの内部構成を示す左側面図である。
【図４】第１の実施の形態によるプリンタの回路構成を示すブロック図である。
【図５】第１の実施の形態による用紙トレイ情報を示す図である。
【図６】第１の実施の形態による印刷モード情報を示す図である。
【図７】第１の実施の形態による印刷処理手順（１）を示すフローチャートである。
【図８】第１の実施の形態による印刷処理手順（２）を示すフローチャートである。
【図９】第２の実施の形態によるプリンタの内部構成を示す左側面図である。
【図１０】第２の実施の形態によるプリンタの回路構成を示すブロック図である。
【図１１】第２の実施の形態による用紙トレイ情報を示す図である。
【図１２】第２の実施の形態による印刷モード情報を示す図である。
【図１３】第２の実施の形態による印刷処理手順を示すフローチャートである。
【発明を実施するための形態】
【００１１】
以下、発明を実施するための形態（以下実施の形態とする）について、図面を用いて説明する。
【００１２】
［１．第１の実施の形態］
［１−１．印刷システムの全体構成］
図１に示すように、印刷システム８０は、プリンタ１とホストコンピュータ８２とがＵＳＢ（Universal Serial Bus）等の有線や各種無線等により接続されている。ホストコンピュータ８２は、ＰＣ（Personal Computer）又はモバイル端末等により構成される。ホストコンピュータ８２は、印刷する際の設定を示す情報である印刷設定情報と共に印刷データをプリンタ１へ送信する。プリンタ１は、ホストコンピュータ８２から受信した印刷データを、印刷設定情報に基づき印刷する。
【００１３】
［１−２．ホストコンピュータの内部構成］
図２に示すように、ホストコンピュータ８２は、制御部８４が各部（記憶部８６、通信部８８、操作部９０及び表示部９２）を統轄制御する。制御部８４は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部８６から所定のプログラムを読み出して実行することにより、各部を制御して種々の処理を行う。
【００１４】
通信部８８は、プリンタ１とデータの送受信を行う。記憶部８６は、各種印刷データを記憶する。制御部８４は、記憶部８６に記憶された印刷データをプリンタ１に印刷させる場合、該記憶部８６から印刷データを読み出し、印刷先のプリンタ１へ送信する。操作部９０は、例えばキーボード及びマウスにより構成され、印刷設定等のユーザの操作指示を受け付ける。表示部９２は、例えば液晶ディスプレイにより構成され、印刷プロパティ等、印刷に関する設定をユーザに行わせる画面を表示する。
【００１５】
［１−３．プリンタの内部構成］
図３に示すように、第１の実施の形態によるプリンタ１は、入力された印刷データに基づくトナー画像を記録媒体としての用紙に印刷することが可能な電子写真方式の画像形成装置である。プリンタ１は、略箱型の筐体７４の内部に、５色（ＵＶ、イエローＹ、マゼンタＭ、シアンＣ及びブラックＫ）に対応した５つの独立したプロセスユニットである印刷手段としての印刷機構２（２Ｕ、２Ｙ、２Ｍ、２Ｃ及び２Ｋ）が中間転写ベルト１２の搬送方向に沿って着脱自在に配置される。ここで、印刷機構２Ｕは、紫外線（ＵＶ:Ultraviolet）が照射されると発色する現像剤であるＵＶトナー（蛍光トナー）を用いて画像を形成するものである。また以下では、イエロー、マゼンタ、シアン及びブラックのトナーをまとめて、有色現像剤としての有色トナーとも呼ぶ。
【００１６】
印刷機構２Ｕ、２Ｙ、２Ｍ、２Ｃ及び２Ｋは、それぞれＵＶ、イエロー、マゼンタ、シアン及びブラックの各色に対応したトナー画像を形成する。印刷機構２（２Ｕ、２Ｙ、２Ｍ、２Ｃ及び２Ｋ）は、帯電ローラ３（３Ｕ、３Ｙ、３Ｍ、３Ｃ及び３Ｋ）と、この帯電ローラ３（３Ｕ、３Ｙ、３Ｍ、３Ｃ及び３Ｋ）により表面が一様に帯電される感光ドラム４（４Ｕ、４Ｙ、４Ｍ、４Ｃ及び４Ｋ）と、トナー画像を形成する現像部を構成する現像ローラ５（５Ｕ、５Ｙ、５Ｍ、５Ｃ及び５Ｋ）と、現像ブレード６（６Ｕ、６Ｙ、６Ｍ、６Ｃ及び６Ｋ）と、供給ローラ７（７Ｕ、７Ｙ、７Ｍ、７Ｃ及び７Ｋ）と、感光ドラム４（４Ｕ、４Ｙ、４Ｍ、４Ｃ及び４Ｋ）表面の除電を行う除電光源８（８Ｕ、８Ｙ、８Ｍ、８Ｃ及び８Ｋ）と、現像剤であるトナーを現像部へ供給するトナーカードリッジ９（９Ｕ、９Ｙ、９Ｍ、９Ｃ及び９Ｋ）等で構成されている。印刷機構２（２Ｕ、２Ｙ、２Ｍ、２Ｃ及び２Ｋ）の各ローラは、ドラムモータ４７（図４）により駆動される。
【００１７】
ＬＥＤ（Light Emitted Diode）ヘッド１１（１１Ｕ、１１Ｙ、１１Ｍ、１１Ｃ及び１１Ｋ）は、画像データ信号に対応してＬＥＤアレイを発光させる。ＬＥＤヘッド１１Ｕには画像信号の中でＵＶの画像信号が入力され、同様にＬＥＤヘッド１１Ｙ、１１Ｍ、１１Ｃ及び１１Ｋには、それぞれイエローの画像信号、マゼンタの画像信号、シアンの画像信号及びブラックの画像信号が入力される。ＬＥＤヘッド１１Ｕ、１１Ｙ、１１Ｍ、１１Ｃ及び１１Ｋは、入力された画像信号に基づく光をそれぞれの感光ドラム４Ｕ、４Ｙ、４Ｍ、４Ｃ及び４Ｋの表面に照射し、静電潜像を形成する。
【００１８】
中間転写ベルト１２は、継目なしのエンドレス状に形成されている高抵抗の導電性プラスチックフィルムからなり、駆動ローラ１３、従動ローラ１４及び２次転写対向ローラ２４により所定のテンションを持って張架されている。駆動ローラ１３は、ベルトモータ４６（図４）により回転し、中間転写ベルト１２を図中の矢印ｅ方向に搬送する。従動ローラ１４及び２次転写対向ローラ２４は、中間転写ベルト１２に連れ回りする。
【００１９】
中間転写ベルト１２の上面部は、各印刷機構２の感光ドラム４と各１次転写ローラ１０（１０Ｕ、１０Ｙ、１０Ｍ、１０Ｃ及び１０Ｋ）との間に架け渡される。中間転写ベルト１２は、各１次転写ローラ１０によって各感光ドラム４に押し当てられており、中間転写ベルト１２と各感光ドラム４とは接触して１次転写部をそれぞれ形成する。１次転写部では、１次転写ローラ１０に高圧制御部５０（図４）から所定の直流電圧が印加されることにより、感光ドラム４上のトナー画像を中間転写ベルト１２上に転写する。
【００２０】
プリンタ１は、筐体７４の内部であって印刷機構２及び中間転写ベルト１２の下方に、図３中に破線で示す用紙搬送路１５に用紙を供給する給紙機構１６が設けられている。給紙機構１６は、用紙トレイ１７、ホッピングローラ１８、レジストローラ１９、レジストローラ２０、搬送ガイド２１及び給紙センサ２２を含む構成とされる。用紙トレイ１７は用紙が収容される。ホッピングローラ１８は、用紙トレイ１７に収容される用紙をレジストローラ１９及びレジストローラ２０に送り出す。レジストローラ１９は、用紙がスキュー（用紙が斜め送りされた状態）した場合にそのスキューを修正する。レジストローラ２０は２次転写ローラ２３に用紙を送り出す。搬送ガイド２１は、用紙を２次転写ローラ２３へと誘導する。給紙センサ２２は、レジストローラ１９とレジストローラ２０との間に用紙が到達したことを検知する。
【００２１】
２次転写ローラ２３は、中間転写ベルト１２を挟んで２次転写対向ローラ２４に対向して配置される。中間転写ベルト１２は、２次転写ローラ２３によって２次転写対向ローラ２４に押し当てられており、２次転写ローラ２３と中間転写ベルト１２とは接触して２次転写部を形成する。２次転写部では、２次転写ローラ２３に高圧制御部５０（図４）から所定の直流電圧が印加されることにより、中間転写ベルト１２上のトナー画像を用紙に２次転写する。一方、２次転写対向ローラ２４の金属シャフトはグランドに接続される。また２次転写ローラ２３は、中間転写ベルト１２に連れ回る。
【００２２】
プリンタ１は、用紙搬送路１５における２次転写部の用紙搬送方向下流側に定着機構２９が設けられる。またプリンタ１は、２次転写ローラ２３と定着機構２９との間に２次転写排出センサ２８が設けられる。２次転写排出センサ２８は、２次転写ローラ２３への用紙の巻きつきや中間転写ベルト１２からの用紙の分離等を監視する。２次転写ローラ２３を通過した用紙は、中間転写ベルト１２から分離され、用紙を定着機構２９へと誘導する搬送ガイド２７へ搬送される。
【００２３】
定着機構２９は、ヒートローラ３０と加圧ローラ３１等で構成される。ヒートローラ３０は、ヒータモータ４９（図４）によって駆動される。加圧ローラ３１は、ヒートローラ３０とは用紙搬送路１５を挟むよう配され、ヒートローラ３０に連れ回されて該ヒートローラ３０を加圧する。ヒートローラ３０は、熱源として機能するハロゲンランプからなるヒータ３２を内蔵する。ヒートローラ３０の表面近くにはサーミスタ３３が配置され、ヒートローラ３０の温度を監視している。定着機構２９は、用紙搬送路１５に沿ってヒートローラ３０と加圧ローラ３１との間に搬送される用紙上のトナーを加熱及び溶解し、用紙上にトナー画像を定着させる。
【００２４】
プリンタ１は、用紙搬送路１５における定着機構２９より用紙搬送方向下流側に定着排出センサ３４が設けられる。定着排出センサ３４は、定着機構２９におけるジャムや用紙のヒートローラ３０への巻き付き等を監視する。プリンタ１は、用紙搬送路１５における定着排出センサ３４よりも用紙搬送方向下流側に、筐体７４の上部に設けられるスタッカ３５へ用紙を搬送する搬送ガイド３６が設けられる。またプリンタ１は、用紙搬送路１５を挟んで対向する搬送ローラ３８及び搬送ローラ３９と、搬送ローラ５６及び搬送ローラ５７と、搬送ローラ５８及び搬送ローラ５９とが搬送ガイド３６に沿って配置され、搬送モータ４８（図４）によって駆動されることにより、印刷済みの用紙をスタッカ３５に排出する。
【００２５】
またプリンタ１は、中間転写ベルト１２における２次転写部の搬送方向下流側に、２次転写において用紙に転写されず中間転写ベルト１２上に残留した２次転写残トナーを除去するクリーニングブレード２５が従動ローラ１４に対向して配される。クリーニングブレード２５は、可撓性のゴム材またはプラスチック材からなり、中間転写ベルト１２上に残留した２次転写残トナーを廃トナータンク２６に掻き落とす。
【００２６】
［１−４．トナーについて］
本発明におけるトナーに用いられる結着樹脂としては、ビニル樹脂、ポリアミド樹脂、ポリエステル樹脂、ポリウレタン樹脂等の熱可塑性樹脂が挙げられる。溶解懸濁法においてこの結着樹脂を溶解させる有機溶媒として使用可能な溶剤としては、酢酸エチル、キシレン、ヘキサンの如き炭化水素形溶剤、酢酸メチル、酢酸エチル、酢酸ブチル、酢酸イソプロピルの如きエステル系溶剤、ジエチルエーテル等のエーテル系溶剤、アセトン、メチルエチルケトン、ジイソブチルケトン、シクロヘキサノン、メチルシクロヘキサンの如きケトン系溶剤が挙げられる。離型剤の一例として、高級脂肪酸及びその金属塩、脂肪酸アミド、エステルワックス、パラフィン・ポリオレフィン系ワックス及びその変性物に挙げられる脂肪族炭化水素系ワックス等が挙げられる。無機粉体の一例として、亜鉛、アルミニウム、セリウム、コバルト、鉄、ジルコニウム、クロム、マンガン、ストロンチウム、錫、アンチモン等の金属酸化物；チタン酸カルシウム、チタン酸マグネシウム、チタン酸ストロンチウム等の複合金属酸化物；硫酸バリウム、炭酸カルシウム、炭酸マグネシウム、炭酸アルミニウム等の金属塩；カオリン等の粘土鉱物；アパタイト等のリン酸化合物；シリカ、炭化ケイ素、窒化ケイ素等のケイ素化合物；カーボンブラックやグラファイト等の炭素粉末が挙げられる。溶解懸濁法において使用される懸濁安定剤としては、分散後に粒子表面上に付着した状態でトナー粒子が造粒されるので溶媒と親和性が無い酸によって除去できるものが好ましく、例えば炭酸カルシウム、塩化カルシウム、炭化水素ナトリウム、炭化水素カリウム、ヒドロキシアパタイト、リン酸三カルシウム等が挙げられる。
【００２７】
本発明に使用するＵＶトナーの製造例を以下に示す。樹脂材料として酸価が２．９ｍｇＫＯＨ／ｇ、重量平均分子量（スチレン換算）が２２００００前後のポリエステル樹脂であるＯＣＲ−７、離型剤としてエステルワックスであるＷＥＰ−４（日油株式会社製）、蛍光体としてＥＸＬ−Ａ８３０Ｆ（シンロイヒ株式会社製、酢酸エチルに対する溶解度：１０％以上、発光時の色：青色）、帯電制御樹脂（ＣＣＲ）としてアクリベースＦＣＡ−７２６（藤倉化成株式会社製）、溶媒として酢酸エチルを用いた。
【００２８】
使用する蛍光体として酢酸エチルに可溶なものを選定した。この理由としては、通常の４色の顔料にて使用される顔料分散剤はそれ自体着色するものが多くて使用できないこと、蛍光体が酢酸エチルに不溶な成分があるとトナー化して印刷した際に透明性が確保できずに着色するためである。また、通常の４色のトナーにおいては樹脂に対して５〜１０％程度添加されるのが一般的である。よって使用する蛍光体は（酢酸エチル：樹脂の割合が１００：２５での配合のとき）酢酸エチルに対して２．５％以上溶解するものであれば、樹脂に対して蛍光体を１０％以上添加することが可能である。しかしながら、酢酸エチルに対する溶解度がギリギリのラインを狙うと、溶解懸濁法おける酢酸エチルの除去工程において蛍光体の析出が起こってしまい、蛍光体の分散および印刷時の透明性の確保が困難となることが予想される。このことから、使用する蛍光体は溶解度の余力を考慮して、酢酸エチルに対して５．０％以上溶解するものを選定する必要がある。
【００２９】
これらの混合液（以下、分散相と呼ぶ）の配合は以下の通りである。
（分散相の配合）
ＯＣＲ−７                      １４５重量部
ＷＥＰ−４                      ７．８重量部
ＥＸＬ−Ａ８３０Ｆ（蛍光体）    ０．６〜９．０重量部
（樹脂に対して０．４１〜６．２１％）
ＦＣＡ−７２６                  ０．２２重量部
酢酸エチル                      ６００重量部
上記以外の材料、例えば帯電制御剤、無機粉体をトナー粒子が着色しない程度に必要に応じて添加してもよい。上記分散相を５０℃に加熱攪拌し、固形物がなくなるまで調製した。
一方、連続相の配合は以下の通りである。
（連続相の配合）
水                              ３０００重量部
リン酸三ナトリウム・１２水和物  １０２重量部
【００３０】
上記連続相を混合し６０℃に加温して溶解させた後、ｐＨ調整用の希硝酸を添加した。次いで純水５００重量部に無水塩化カルシウム４９．２重量部を溶解させて６０℃に加温した塩化カルシウム水溶液を添加して、ネオミクサー（プライミクス株式会社製）にて１００００ｒｐｍ、５分間高速攪拌することでリン酸カルシウムを含む水系媒体（懸濁安定剤液）を得た。この連続相に前述の分散相を投入し、さらに８０００ｒｐｍ、３０秒間高速攪拌して造粒した。その後減圧蒸留にて酢酸エチルを除去した。スラリーを冷却し、懸濁安定剤の除去のために酸洗浄と脱水を行い、水洗浄を行った後、脱水・乾燥を行い、ベーストナーを得た。酸洗浄および水洗浄において蛍光体の脱離・溶出は確認されなかった。
【００３１】
ベーストナーが１００重量部に、疎水性シリカＲ−８２００（日本アエロジル社製、平均一次粒子径：１２ｎｍ）１．０重量部を加えてヘンシェルミキサー（三井鉱山株式会社製）で混合し外添トナーを作成した。上記ＵＶトナーは蛍光体の種類をＥＸＬ−Ａ８３１Ｆ（シンロイヒ株式会社製、酢酸エチルに対する溶解度：１０％以上発光時の色：緑色）に変更してトナーを作製することも可能である。蛍光体の量としては樹脂に対して０．４１〜９．２８％が好ましい。上記ＵＶトナーは蛍光体の種類をＳＯＭ-５−０１１４（オリヱントエ業株式会社製、酢酸エチルに対する溶解度：１０％以上、発光時の色：赤色）に変更してトナーを作製することも可能である。蛍光体の量としては樹脂に対して０．４１〜２．０７％が好ましい。
【００３２】
［１−５．プリンタの回路構成］
プリンタ１は、図４に示すように印刷制御ユニット５２が各部を統轄制御する。印刷制御ユニット５２は、ホストインタフェース部４０、コマンド／画像処理部４１、ＬＥＤヘッドインタフェース部４２、機構制御部４３、高圧制御部５０、記録媒体判定部５３、印刷モード判定部６０、記憶部５４、記憶部６４及び記憶部６５により構成される。
【００３３】
コマンド／画像処理部４１は、ＣＰＵ、ＲＡＭ、ＲＯＭ等により構成される所謂マイクロコンピュータでなり、プリンタ１全体を統轄制御する。コマンド／画像処理部４１は、ホストコンピュータ８２からのコマンド及び画像データを解釈しビットマップに展開する。またコマンド／画像処理部４１内のＵＶトナー使用判定部６３は、コマンド／画像処理部４１が解釈した画像データにＵＶトナーによる画像データが含まれているか判定する。
【００３４】
ホストインタフェース部４０は、ホストコンピュータ８２との物理的階層のインタフェースであり、コネクタ及び通信チップにより構成される。ＬＥＤヘッドインタフェース部４２は、セミカスタムＬＳＩ（Large Scale Integration）及びＲＡＭ等により構成され、コマンド／画像処理部４１から供給されるビットマップに展開された画像データを各色のＬＥＤヘッド１１（１１Ｕ、１１Ｙ、１１Ｍ、１１Ｃ及び１１Ｋ）のインタフェースに合わせてデータを加工する。
【００３５】
機構制御部４３は、ＣＰＵ、ＲＡＭ及びＲＯＭ等により構成されるマイクロコンピュータでなり、印刷系の機構部の制御及び高圧電源の制御等を行う。具体的には機構制御部４３は、コマンド／画像処理部４１から命令されたホストコンピュータ８２からのコマンド指令と、オペレーションパネル３７でのユーザによる設定内容とに従い、給紙センサ２２、２次転写排出センサ２８及び定着排出センサ３４の検出結果に応じたホッピングモータ４４、レジストモータ４５、ベルトモータ４６、ドラムモータ４７、搬送モータ４８及びヒータモータ４９の駆動制御と、記憶部６４に予め格納されている出力設定値を用いた高圧制御部５０の高圧出力制御と、記憶部６４に予め格納されている設定温度値を用いたサーミスタ３３の検出結果に応じたヒータ３２の温度制御とを行う。
【００３６】
ホッピングモータ４４、レジストモータ４５、ベルトモータ４６、ドラムモータ４７（４７Ｕ、４７Ｙ、４７Ｍ、４７Ｃ及び４７Ｋ）、搬送モータ４８及びヒータモータ４９は、機構制御部４３の制御に応じて、ホッピングローラ１８、レジストローラ１９及び２０、駆動ローラ１３、印刷機構２（２Ｕ、２Ｙ、２Ｍ、２Ｃ及び２Ｋ）の各ローラ、搬送ローラ３８、３９、５６、５７、５８、５９及びヒートローラ３０をそれぞれ回転駆動させる。
【００３７】
記憶部６４は、高圧制御部５０が高圧出力制御される際の出力設定値と、ヒータ３２が温度制御される際の設定温度値とが予め格納されている。記憶部５４は、用紙トレイ情報５５と印刷モード情報６１とを記憶する。
【００３８】
高圧制御部５０は、マイクロプロセッサ又はカスタムＬＳＩ等により構成され、機構制御部４３の制御に応じて、帯電ローラ３、供給ローラ７、現像ローラ５、１次転写ローラ１０及び２次転写ローラ２３に直流電圧を印加することにより制御する。
【００３９】
オペレーションパネル３７は、入力ボタンやタッチパネル等による入力部と液晶ディスプレイ等の表示部とにより構成され、表示部でプリンタ１の状態の表示や印刷に関する設定項目を表示させると共に、入力部でユーザによる操作を受け付け、ユーザが設定した印刷に関する選択情報を機構制御部４３に送信する。
【００４０】
オペレーションパネル３７内の用紙トレイ情報選択部５１は、所定の用紙選択画面を表示部に表示させることにより、用紙トレイ１７にユーザがセットした用紙の用紙種類を印刷が行われる前にユーザに選択させる。本実施の形態においては、選択できる用紙種類として「普通紙」、「上質紙」、「厚紙」及び「透明フィルム」の４種類が設定されている。用紙トレイ情報選択部５１は、ユーザが選択した用紙の種類を示す用紙トレイ情報を図５に示す用紙トレイ情報５５として記憶部５４に保存する。用紙トレイ情報５５は、用紙種類の情報と、該用紙種類が「透明」又は「非透明」の何れかを示す透明／非透明の情報を用紙種類毎に対応付けて予め保持している。また用紙トレイ情報５５は、オペレーションパネル３７の用紙トレイ情報選択部５１により選択されている用紙種類が保存されており、選択情報において「選択中」として示されている。図５においては、例として「透明フィルム」が選択されている状態を示している。
【００４１】
オペレーションパネル３７内の印刷モード選択手段としての印刷モード選択部６２は、印刷される画像データにＵＶトナーによる画像データが含まれており、且つ、用紙トレイ１７の用紙種類として「透明フィルム」が選択されている場合に、所定の印刷モード選択画面を表示部に表示させることにより、印刷モードをユーザに選択させる。本実施の形態においては、選択できる印刷モードとして、「印刷中止」、「そのまま印刷」、「ＵＶトナーの画像データのみ印刷しない」及び「第２のＵＶトナーによるオーバーコート」が設定されている。ここで、「印刷中止」が選択されると、プリンタ１は、印刷を中止する。一方、「そのまま印刷」が選択されると、プリンタ１は、ＵＶトナーを用いて、ＵＶトナーの画像データをそのまま印刷する。一方、「ＵＶトナーの画像データのみ印刷しない」が選択されると、プリンタ１は、ＵＶトナーの画像データを除いた画像データを印刷する。一方、「第２のＵＶトナーによるオーバーコート」が選択されると、プリンタ１は、発光時の色が異なるＵＶトナーである第１のＵＶトナー及び第２のＵＶトナーを用いて、本来印刷したい画像データを第１のＵＶトナーを用いて印刷した後、記憶部６５に格納されている画像データを第２のＵＶトナーを用いて全面に印刷し、第１のＵＶトナーで印刷した画像データをオーバーコートすることにより第１のＵＶトナーで印刷した画像を目立ちにくくする。これにより印刷した用紙は、可視光の下では、第２のＵＶトナーによる印刷がされていることは認識されるが、第１のＵＶトナーによってどのような画像が印刷されているかは判別されない。しかしながら、ＵＶ光の下では、第１のＵＶトナーを用いて印刷された画像は、全面にオーバーコートされた第２のＵＶトナーと発光時の色が異なるため、第１のＵＶトナーを用いて印刷された画像を判別されることができる。
【００４２】
印刷モード選択部６２は、ユーザが選択した印刷モードを示す印刷モード情報を図６に示す印刷モード情報６１として記憶部５４に保存する。印刷方法記憶手段としての印刷モード情報６１は、印刷モード選択部６２により選択されている印刷モードが保存されており、選択情報において「選択中」として示されている。図６においては、例として「第２のＵＶトナーによるオーバーコート」が選択されている状態を示している。
【００４３】
記録媒体判定部５３は、記憶部５４に保存されている用紙トレイ情報５５に基づき、用紙トレイ１７にセットされた用紙が透明な媒体であるか否かを判定する。印刷モード判定部６０は、記憶部５４に保存されている印刷モード情報６１に基づき、選択されている印刷モードが何であるかを判定する。
【００４４】
記憶部６５は、印刷モードとして「第２のＵＶトナーによるオーバーコート」がユーザに選択された場合に、第２のＵＶトナーを用いて印刷される、１ページ全面を塗りつぶす画像データを格納している。
【００４５】
［１−６．印刷動作］
かかる構成においてプリンタ１は、以下の処理を行うことにより印刷動作を実行する。この印刷動作は、印刷モードによらず同じ動作となっている。印刷動作を実行する際、コマンド／画像処理部４１が機構制御部４３に定着機構２９のウォームアップ開始の指示を出す。コマンド／画像処理部４１よりウォームアップ開始の指示を受け取った機構制御部４３は、ヒータモータ４９を制御し、ヒートローラ３０を駆動し、サーミスタ３３の検出結果を監視しつつ、ヒータ３２のＯＮ／ＯＦＦを制御し、定着温度の調整を行う。定着温度が予め設定してある用紙上のトナー画像を定着可能となる温度に到達すると、機構制御部４３は印刷動作を開始する。
【００４６】
機構制御部４３は、ベルトモータ４６及びドラムモータ４７を制御し、駆動ローラ１３及び印刷機構２（２Ｕ、２Ｋ、２Ｙ、２Ｍ及び２Ｃ）の各ローラを駆動させて中間転写ベルト１２を矢印ｅ方向に搬送させる。
【００４７】
次に機構制御部４３は、各印刷機構２を制御して中間転写ベルト１２に各色のトナー画像を１次転写させる。ここでは印刷機構２Ｋにおけるトナー画像の形成動作について説明する。なお、ＵＶ、イエロー、マゼンタ及びシアンについてはブラックと同様であるためその説明を省略する。
【００４８】
高圧制御部５０は、機構制御部４３より高圧出力の指示を受けると、印刷機構２Ｕ、２Ｙ、２Ｍ、２Ｃ及び２Ｋの各ローラに高圧バイアスを供給する。高圧制御部５０により各高圧バイアスが供給されると、帯電ローラ３Ｋには−１１００の帯電電圧が供給され、感光ドラム４Ｋの表面を−６００Ｖに帯電させる。また、現像ローラ５Ｋには−２００Ｖの現像電圧が、供給ローラ７Ｋには−２５０Ｖの供給電圧が供給され、現像ローラ５Ｋと供給ローラ７Ｋの接触領域近傍では現像ローラ５Ｋから供給ローラ７Ｋに向かう方向の電界が形成される。
【００４９】
印刷機構２Ｋのトナーカートリッジ９Ｋにはブラックのトナーが収容されており、トナーカートリッジ９Ｋから供給されたトナーは、現像ローラ５Ｋと供給ローラ７Ｋに強く擦られて摩擦帯電される。本実施の形態においては、現像ローラ５Ｋ及び供給ローラ７Ｋの特性によりトナーはマイナス極性に摩擦帯電されるものとする。
【００５０】
マイナス極性に摩擦帯電されたトナーは、現像ローラ５Ｋから供給ローラ７Ｋの方向を向いた電界から受けるクーロンカによって現像ローラ５Ｋ上に付着する。現像ローラ５Ｋ上に付着したトナーは、現像ローラ５Ｋの回転に伴って現像ローラ５Ｋと現像ブレード６Ｋとの接触部に運ばれ、現像ブレード６Ｋによって均一な厚さにならされてトナー層を形成する。現像ローラ５Ｋは、さらに回転を続けることによりトナー層を感光ドラム４Ｋとの接触領域に運ぶ。
【００５１】
ＬＥＤヘッドインタフェース部４２は、コマンド／画像処理部４１より送信されたビットマップデータに合わせ、ＬＥＤヘッド１１ＫのＬＥＤを点滅させて、−６００Ｖに帯電された感光ドラム４Ｋ表面を露光して感光ドラム４Ｋ表面を−５０Ｖに除電し、静電潜像を書き込む。
【００５２】
感光ドラム４Ｋの回転に伴い、感光ドラム４Ｋ表面に書き込まれた静電潜像は、現像ローラ５Ｋとの接触領域に到達する。現像ローラ５Ｋと感光ドラム４Ｋ表面との間には、感光ドラム４Ｋの表面が−５０Ｖに除電された露光部では感光ドラム４Ｋから現像ローラ５Ｋに向かう電界が形成され、−６００Ｖのまま除電されていない非露光部では、現像ローラ５Ｋから感光ドラム４Ｋに向かう逆向きの電界が形成される。従って、感光ドラム４Ｋの表面は、現像ローラ５Ｋ上のマイナス極性に帯電したトナー層から露光部にのみ選択的にトナーが付着し、静電潜像がトナー画像として現像される。
【００５３】
次に、感光ドラム４Ｕ、４Ｙ、４Ｍ、４Ｃ及び４Ｋ上に現像したトナー画像がそれぞれの１次転写ローラ１０Ｕ、１０Ｙ、１０Ｍ、１０Ｃ及び１０Ｋと感光ドラム４Ｕ、４Ｙ、４Ｍ、４Ｃ及び４Ｋとの間の１次転写部に順次到達するタイミングに合わせて、機構制御部４３は高圧制御部５０に１次転写電圧の生成の指示を出す。高圧制御部５０は、機構制御部４３の指示に従い、１次転写ローラ１０Ｕ、１０Ｋ、１０Ｙ、１０Ｍ及び１０Ｃヘプラス極性の１次転写電圧を供給する。本実施の形態においては、１次転写ローラ１０Ｕ、１０Ｋ、１０Ｙ、１０Ｍ及び１０Ｃへ供給する１次転写電圧は実験的に求めた＋２０００Ｖとする。このとき、１次転写部では、１次転写ローラ１０Ｕ、１０Ｋ、１０Ｙ、１０Ｍ及び１０Ｃから感光ドラム４Ｕ、４Ｋ、４Ｙ、４Ｍ及び４Ｃに向かう方向の電界が形成され、感光ドラム４Ｕ、４Ｋ、４Ｙ、４Ｍ及び４Ｃ上に現像されたマイナス極性のトナー画像が中間転写ベルト１２上に１次転写される。
【００５４】
機構制御部４３は、中間転写ベルト１２上に１次転写されたトナー画像が２次転写部に到達する前に、ホッピングモータ４４を駆動してホッピングローラ１８を回転させ、用紙トレイ１７の用紙を１枚だけレジストローラ１９とレジストローラ２０との間へ送る。機構制御部４３は、給紙センサ２２の出力を監視して、用紙の先端がレジストローラ１９とレジストローラ２０の間に到達したことを検出すると、ホッピングモータ４４を停止させる。
【００５５】
さらに機構制御部４３は、中間転写ベルト１２上に１次転写されたトナー画像が２次転写部に到達するタイミングに合わせてレジストモータ４５を駆動し、レジストローラ１９とレジストローラ２０間の用紙を搬送ガイド２１へと搬送する。用紙は、搬送ガイド２１に誘導され、２次転写部に到達する。
【００５６】
用紙が搬送ガイド２１に誘導され、２次転写部に到達すると同時に、機構制御部４３は、中間転写ベルト１２上に１次転写されたトナー画像が２次転写部に到達するタイミングに合わせて、高圧制御部５０に２次転写電圧の生成の指示を出す。高圧制御部５０は、２次転写ローラ２３ヘプラス極性の２次転写電圧を供給する。本実施の形態においては、２次転写ローラ２３へ供給する２次転写電圧は実験的に求めた＋２０００Ｖとする。このとき２次転写部では、２次転写ローラ２３から２次転写対向ローラ２４に向かう方向の電界が形成され、各中間転写ベルト１２上に１次転写されたマイナス極性のトナー画像が用紙上に２次転写される。
【００５７】
機構制御部４３は、２次転写排出センサ２８により２次転写ローラ２３への用紙の巻き付きや中間転写ベルト１２からの用紙の分離失敗を監視しつつ、転写工程が終了した用紙を搬送ガイド２７に案内し定着機構２９へと送る。用紙が定着機構２９に到達すると、既に定着可能温度に到達しているヒートローラ３０と、これに圧接する加圧ローラ３１とに狭持搬送されて、用紙上のトナーが加熱及び溶融されてトナー画像が用紙に定着される。
【００５８】
機構制御部４３は、定着排出センサ３４により定着機構２９におけるジャムや用紙のヒートローラ３０への巻き付きを監視しつつ、搬送モータ４８を制御して搬送ローラ３８、搬送ローラ３９、搬送ローラ５６、搬送ローラ５７、搬送ローラ５８及び搬送ローラ５９を駆動し、定着工程が終了した用紙を搬送ガイド３６に誘導しながらスタッカ３５へと排出する。
【００５９】
定着工程を行うと同時に、中間転写ベルト１２上に残留する２次転写残トナーは、クリーニングブレード２５により廃トナータンク２６に掻き落とされる。以上の全ての工程を終了すると、機構制御部４３は、ベルトモータ４６、ドラムモータ４７及び搬送モータ４８を停止し、同時に高圧制御部５０に指示を出し各印刷機構２Ｕ、２Ｋ、２Ｙ、２Ｍ及び２Ｃの各ローラヘの高圧バイアスの供給を停止し、さらにヒータモータ４９及びヒータ３２を停止し、印刷動作を完了させる。
【００６０】
［１−７．印刷処理手順］
次に、プリンタ１による印刷処理の具体的な処理手順について、図７及び図８のフローチャートを用いて説明する。プリンタ１のユーザは、用紙トレイ１７に所定の用紙をセットし、ホストコンピュータ８２において印刷を指示する。印刷を指示されると、コマンド／画像処理部４１は、ＲＯＭから印刷処理プログラムを読み出してＲＡＭに展開して実行することにより印刷処理手順ＲＴ１を開始し、ステップＳＰ１へ移る。
【００６１】
ステップＳＰ１においてコマンド／画像処理部４１は、ホストインタフェース部４０を介してホストコンピュータ８２から画像データを受信し、ステップＳＰ２へ移る。コマンド／画像処理部４１は、受信した画像データを展開処理して１ページ毎の印刷用ビットマップデータを各色に対応して生成する。
【００６２】
ステップＳＰ２においてコマンド／画像処理部４１は、解釈した画像データにＵＶトナーによる画像データが含まれているか否かをＵＶトナー使用判定部６３により判定する。ここで否定結果が得られると、このことは、用紙トレイ１７にセットされた用紙が透明か否かの判定を行う必要がないことを表し、このときコマンド／画像処理部４１はステップＳＰ６へ移る。一方ステップＳＰ２において肯定結果が得られると、このことは、用紙トレイ１７にセットされた用紙が透明か否かの判定を行う必要があることを表し、このときコマンド／画像処理部４１はステップＳＰ３へ移る。
【００６３】
ステップＳＰ３においてコマンド／画像処理部４１は、記憶部５４に保存されている用紙トレイ情報５５に基づき、用紙トレイ１７にセットされた用紙が透明か否かを記録媒体判定部５３により判定する。ここで否定結果が得られると、このことは、解釈した画像データにＵＶトナーによる画像データが含まれているものの用紙は透明ではなく、透明ではない用紙にＵＶトナーが印刷されても該ＵＶトナーは視認されにくいために、後述する印刷モードの選択を行う必要がないことを表し、このときコマンド／画像処理部４１はステップＳＰ６へ移る。一方ステップＳＰ３において肯定結果が得られると、このことは解釈した画像データにＵＶトナーによる画像データが含まれており、且つ用紙が透明であるため、該ＵＶトナーが透明な用紙に印刷されると、該ＵＶトナーが視認され易いために、印刷モードの選択を行う必要があることを表し、このときコマンド／画像処理部４１はステップＳＰ４へ移る。
【００６４】
ステップＳＰ４においてコマンド／画像処理部４１は、印刷モード選択部６２により、オペレーションパネル３７に印刷モードの選択画面を表示し、ユーザに印刷モードを選択させ、印刷モード情報６１として記憶部５４に記憶してステップＳＰ５へ移る。ステップＳＰ５においてコマンド／画像処理部４１は、記憶部５４に保存された印刷モード情報６１に基づき、選択されている印刷モードが何であるかを印刷モード判定部６０により判定する。選択されている印刷モードが「印刷中止」の場合、コマンド／画像処理部４１は印刷を中止し、ステップＳＰ１４（図８）へ移り印刷処理手順ＲＴ１を終了する。一方、選択されている印刷モードが「そのまま印刷」の場合、コマンド／画像処理部４１はステップＳＰ６へ移り、１ページごとのビットマップデータをコマンド／画像処理部４１によりＬＥＤヘッドインタフェース部４２に送信して印刷動作を実行し、ステップＳＰ１４（図８）へ移り印刷処理手順ＲＴ１を終了する。
【００６５】
一方、選択されている印刷モードが「ＵＶトナーの画像データのみ印刷しない」の場合、コマンド／画像処理部４１はステップＳＰ７へ移り、ＵＶトナーの画像データを除いた１ページごとのビットマップデータをコマンド／画像処理部４１によりＬＥＤヘッドインタフェース部４２に送信して印刷動作を実行し、ステップＳＰ１４（図８）へ移り印刷処理手順ＲＴ１を終了する。
【００６６】
一方、選択されている印刷モードが「第２のＵＶトナーによるオーバーコート」の場合、コマンド／画像処理部４１はステップＳＰ８へ移り、ステップＳＰ６と同様に、１ページごとのビットマップデータをコマンド／画像処理部４１によりＬＥＤヘッドインタフェース部４２に送信して印刷動作を実行することにより、第１のＵＶトナーを用いて印刷を行い、ステップＳＰ９（図８）へ移る。
【００６７】
第１のＵＶトナーによる印刷動作完了後、ステップＳＰ９においてコマンド／画像処理部４１は、第１のＵＶトナーの印刷機構である第１ＵＶトナー印刷機構２Ｕ１（図示せず）が第２のＵＶトナーの印刷機構である第２ＵＶトナー印刷機構２Ｕ２（図示せず）に入れ替えられたか否かを判定する。ここで肯定結果が得られると、コマンド／画像処理部４１はステップＳＰ１１へ移る。本実施の形態においては、ユーザが手動で第１ＵＶトナー印刷機構２Ｕ１をプリンタ１から取り外し、第２ＵＶトナー印刷機構２Ｕ２を取り付ける。一方ステップＳＰ９において否定結果が得られると、コマンド／画像処理部４１はステップＳＰ１０へ移り、所定の印刷キャンセル選択画面をオペレーションパネル３７の表示部に表示させることにより、印刷キャンセルがユーザに選択されたか否かを判定する。ここで否定結果が得られると、コマンド／画像処理部４１はステップＳＰ９へ戻り、第１ＵＶトナー印刷機構２Ｕ１が第２ＵＶトナー印刷機構２Ｕ２に入れ替えられるまで待ち受ける。一方ステップＳＰ１０において肯定結果が得られると、このことは、第１のＵＶトナーを用いて印刷した用紙をユーザが確認した結果、該用紙にさらに第２のＵＶトナーを印刷する必要はないか、または印刷自体を中止したいとユーザが望んでいることを表し、このときコマンド／画像処理部４１はステップＳＰ１４へ移り、印刷処理手順ＲＴ１を終了する。
【００６８】
第１ＵＶトナー印刷機構２Ｕ１が第２ＵＶトナー印刷機構２Ｕ２に入れ替えられると、コマンド／画像処理部４１はステップＳＰ１１へ移り、第１のＵＶトナーを用いて印刷した用紙が用紙トレイ１７にセットされたか否かを判定する。ここで肯定結果が得られると、コマンド／画像処理部４１はステップＳＰ１３へ移る。本実施の形態においては、第１のＵＶトナーを用いて印刷した用紙をユーザが手動でスタッカ３５から取り出し、用紙トレイ１７へセットする。一方ステップＳＰ１１において否定結果が得られると、コマンド／画像処理部４１はステップＳＰ１２へ移り、所定の印刷キャンセル選択画面を表示部に表示させることにより、印刷キャンセルがユーザに選択されたか否かを判定する。ここで否定結果が得られると、コマンド／画像処理部４１はステップＳＰ１１へ戻り、第１のＵＶトナーを用いて印刷した用紙が用紙トレイ１７にセットされるまで待ち受ける。一方ステップＳＰ１２において肯定結果が得られると、このことは、第１のＵＶトナーを用いて印刷した用紙をユーザが確認した結果、該用紙にさらに第２のＵＶトナーを印刷する必要はないか、または印刷自体を中止したいとユーザが望んでいることを表し、このときコマンド／画像処理部４１はステップＳＰ１４へ移り、印刷処理手順ＲＴ１を終了する。
【００６９】
第１のＵＶトナーを用いて印刷した用紙が用紙トレイ１７にセットされると、コマンド／画像処理部４１はステップＳＰ１３へ移り、記憶部６５に格納されている、印刷モードが「第２のＵＶトナーによるオーバーコート」を選択された場合に第２のＵＶトナーで印刷するための画像データの１ページごとのビットマップデータをコマンド／画像処理部４１によりＬＥＤヘッドインタフェース部４２に送信して印刷動作を実行することにより、第２のＵＶトナーを用いて印刷を行い、ステップＳＰ１４（図８）へ移り印刷処理手順ＲＴ１を終了する。
【００７０】
このようにプリンタ１は、ＵＶトナーを用いた印刷を行う場合に、用紙の種類を判定して、透明な用紙を用いる場合は、印刷方法を選択できるようにした。
【００７１】
［１−８．動作及び効果］
以上の構成においてプリンタ１は、透明フィルムやＯＨＰ（Overhead Projector）等の透明な用紙に、セキュリティ性が高い内容を印刷する際に用いられることが多いトナーであるＵＶトナーを印刷する場合、「印刷中止」、「そのまま印刷」、「ＵＶトナーの画像データのみ印刷しない」及び「第２のＵＶトナーによるオーバーコート」の何れかの印刷モードをユーザに選択させるようにした。
【００７２】
ここで、従来のプリンタにおいては、透明な用紙にＵＶトナーを印刷すると、ＵＶトナーは無色透明ではないため、該ＵＶトナーで印刷した内容が可視光下でも視認されてしまい、ユーザ所望の印刷物が得られなかった。
【００７３】
これに対しプリンタ１は、「第２のＵＶトナーによるオーバーコート」の印刷モードがユーザに選択された場合、ＵＶトナーを用いて印刷したい画像データを第１のＵＶトナーにより印刷した後、該第１のＵＶトナーとは発光時の色が異なる第２のＵＶトナーを用いて全面に印刷することにより、第１のＵＶトナーで印刷した画像である第１ＵＶトナー印刷画像をオーバーコートするようにした。これにより印刷した用紙は、可視光の下では、第２のＵＶトナーによる印刷がされていることは認識されるが、第１ＵＶトナー印刷画像が印刷されているかは判別されないようにすることができると共に、ＵＶ光の下では、全面にオーバーコートした第２のＵＶトナーと発光時の色が異なるため、第１ＵＶトナー印刷画像を判別されることができる。これによりプリンタ１は、無色透明ではないＵＶトナーで印刷された内容が可視光下で認識されてしまうことを防止しセキュリティ性を向上させると共に、ＵＶ光の下では、ＵＶトナーで印刷された内容が認識されるようにすることができる。
【００７４】
また「ＵＶトナーの画像データのみ印刷しない」の印刷モードがユーザに選択された場合、プリンタ１は、ＵＶトナーの画像データを除いた画像データを印刷するようにした。これによりプリンタ１は、ＵＶトナーの画像データ以外の画像データは印刷することで利便性を保つと共に、ＵＶトナーの画像データは印刷しないことによりセキュリティ性を向上させることができる。
【００７５】
また「印刷中止」の印刷モードがユーザに選択された場合、プリンタ１は、印刷を中止することにより、利便性は低下させながらも、セキュリティ性を向上させることができる。
【００７６】
また「そのまま印刷」の印刷モードがユーザに選択された場合、プリンタ１は、ＵＶトナーを用いて、ＵＶトナーの画像データをそのまま印刷するようにした。これによりプリンタ１は、セキュリティ性を向上させることは求めずに、利便性を向上させることができる。
【００７７】
このようにプリンタ１は、透明フィルムやＯＨＰ等の透明な用紙にＵＶトナーを印刷する場合、４つの印刷モードをユーザに選択させるようにした。これによりプリンタ１は、セキュリティ性と利便性との兼ね合いを考慮したユーザの意思を反映させて、ユーザ所望の印刷物を作成することができる。
【００７８】
さらにプリンタ１は、第１のＵＶトナーを用いて印刷したい画像データを印刷した後、該第１のＵＶトナーの上面において第２のＵＶトナーを用いて印刷データを全面に印刷し、第１ＵＶトナー印刷画像を、第２のＵＶトナーで印刷した画像である第２ＵＶトナー印刷画像でオーバーコートするようにした。このためプリンタ１は、第１ＵＶトナー印刷画像が形成された用紙を、第２ＵＶトナー印刷画像が形成される前にユーザに確認させることができる。これによりプリンタ１は、第１ＵＶトナー印刷画像が形成された用紙を確認したユーザが、可視光下で該第１ＵＶトナー印刷画像は視認できないと判別した場合に、印刷をキャンセルさせることができ、ユーザの意図を反映させることができる。
【００７９】
さらにプリンタ１は、第１ＵＶトナー印刷画像に重ねて、第２のＵＶトナーを用いて全面に印刷するようにした。このためプリンタ１は、第２のＵＶトナーを用いて１ページ内の一部分のみを印刷する場合よりも、ユーザが視認した際のデザイン上の違和感を少なくでき、第１ＵＶトナー印刷画像をより目立ちにくくすることができる。
【００８０】
以上の構成によればプリンタ１は、印刷する画像に使用する現像剤としてのトナーの種類を判定する記録媒体判定部５３と、印刷に使用する用紙の種類を判定する印刷モード判定部６０と、記録媒体判定部５３と印刷モード判定部６０との判定結果に基づいて印刷方法を選択する印刷モード選択部６２を設けるようにした。これによりプリンタ１は、印刷する画像に使用するトナーの種類と、印刷に使用する用紙の種類とに基づいて、ユーザの所望の画像を形成する印刷方法を選択することができる。
【００８１】
［２．第２の実施の形態］
［２−１．印刷システムの構成、プリンタの内部構成及びプリンタの回路構成］
図１に示すように、第２の実施の形態による印刷システム１８０は、第１の実施の形態による印刷システム８０と比べて、プリンタ１０１がプリンタ１と異なっているものの、それ以外は同様に構成されている。図３及び図４とそれぞれ対応する図９及び図１０に示すように、第２の実施の形態によるプリンタ１０１は、第１の実施の形態によるプリンタ１と比べて、印刷機構２Ｕに代えて印刷機構２Ｗが設けられていると共に、印刷制御ユニット１５２が印刷制御ユニット５２と、オペレーションパネル１３７がオペレーションパネル３７と異なっているものの、それ以外は同様に構成されている。
【００８２】
印刷制御ユニット１５２は印刷制御ユニット５２と比べて、記憶部５４の用紙トレイ情報５５及び印刷モード情報６１に代えて記憶部１５４の用紙トレイ情報１５５及び印刷モード情報１６１が、記録媒体判定部５３に代えて記録媒体判定部１５３が、印刷モード判定部６０に代えて印刷モード判定部１６０が、コマンド／画像処理部４１に代えてコマンド／画像処理部１４１が設けられているものの、それ以外は同様に構成されている。コマンド／画像処理部１４１はコマンド／画像処理部４１と比べて、ＵＶトナー使用判定部６３に代えて使用トナー色取得部６６及び使用トナー色置換部７２が設けられている。オペレーションパネル１３７はオペレーションパネル３７と比べて、用紙トレイ情報選択部５１に代えて用紙トレイ情報選択部１５１が、印刷モード選択部６２に代えて印刷モード選択部１６２が設けられている。
【００８３】
プリンタ１０１は、略箱型の筐体７４の内部に、５色（ホワイトＷ、イエローＹ、マゼンタＭ、シアンＣ及びブラックＫ）に対応した５つの独立したプロセスユニットである印刷機構２（２Ｗ、２Ｙ、２Ｍ、２Ｃ及び２Ｋ）が中間転写ベルト１２の搬送方向に沿って着脱自在に配置される。
【００８４】
印刷機構２Ｗ、２Ｙ、２Ｍ、２Ｃ及び２Ｋは、それぞれホワイト、イエロー、マゼンタ、シアン及びブラックの各色に対応したトナー画像を形成する。印刷機構２（２Ｗ、２Ｙ、２Ｍ、２Ｃ及び２Ｋ）は、帯電ローラ３（３Ｗ、３Ｙ、３Ｍ、３Ｃ及び３Ｋ）と、この帯電ローラ３（３Ｗ、３Ｙ、３Ｍ、３Ｃ及び３Ｋ）により表面が一様に帯電される感光ドラム４（４Ｗ、４Ｙ、４Ｍ、４Ｃ及び４Ｋ）と、トナー画像を形成するための現像部を構成する現像ローラ５（５Ｗ、５Ｙ、５Ｍ、５Ｃ及び５Ｋ）と、現像ブレード６（６Ｗ、６Ｙ、６Ｍ、６Ｃ及び６Ｋ）と、供給ローラ７（７Ｗ、７Ｙ、７Ｍ、７Ｃ及び７Ｋ）と、感光ドラム４（４Ｗ、４Ｙ、４Ｍ、４Ｃ及び４Ｋ）表面の除電を行う除電光源８（８Ｗ、８Ｙ、８Ｍ、８Ｃ及び８Ｋ）と、現像剤であるトナーを現像部へ供給するためのトナーカードリッジ９（９Ｗ、９Ｙ、９Ｍ、９Ｃ及び９Ｋ）等で構成されている。印刷機構２（２Ｗ、２Ｙ、２Ｍ、２Ｃ及び２Ｋ）の各ローラは、ドラムモータ４７により駆動される。
【００８５】
コマンド／画像処理部１４１は、コマンド／画像処理部４１と同様に、ホストコンピュータ８２からのコマンド及び画像データを解釈しビットマップに展開する。またコマンド／画像処理部１４１内の使用トナー色取得部６６は、コマンド／画像処理部１４１が解釈した画像データにどの色の画像データが含まれているか取得する。またコマンド／画像処理部１４１内の使用トナー色置換部７２は、以下に記載する印刷モードが「別の色に置き換えて印刷」の場合に画像データの色情報を置き換える。
【００８６】
オペレーションパネル１３７内の用紙トレイ情報選択部１５１は、所定の用紙選択画面を表示部に表示させることにより、用紙トレイ１７にユーザがセットした用紙の用紙種類を印刷が行われる前にユーザに選択させる。本実施の形態においては、選択できる用紙種類として色が用いられ、「白色」、「黒色」、「赤色」、「青色」及び「緑色」の５種類が設定されている。用紙トレイ情報選択部１５１は、ユーザが選択した用紙の種類を示す用紙トレイ情報を図１１に示す用紙トレイ情報１５５として記憶部１５４に保存する。用紙トレイ情報１５５は、用紙種類の情報と、該用紙種類と組み合わされた際に置換されるべき色と判定される判定該当色の情報を用紙種類毎に対応付けて予め保持している。また用紙トレイ情報１５５は、以下に記載する印刷モードが「別の色に置き換えて印刷」の場合に判定該当色から置き換える色である置換色の情報を用紙種類毎に対応付けて予め保持している。また用紙トレイ情報１５５は、オペレーションパネル１３７の用紙トレイ情報選択部１５１により選択されている用紙種類が保存されており、選択情報において「選択中」として示されている。図１１においては、例として「黒色」が選択されている状態を示している。
【００８７】
オペレーションパネル１３７内の印刷モード選択部１６２は、印刷される画像データに含まれている色と、用紙トレイ１７の用紙種類として選択されている用紙の色との組み合わせが、印刷方法を選択すべき色の組み合わせの場合に、所定の印刷モード選択画面を表示部に表示させることにより、印刷モードをユーザに選択させる。本実施の形態においては、選択できる印刷モードとして、「印刷中止」、「そのまま印刷」及び「別の色に置き換えて印刷」が設定されている。ここで、「印刷中止」が選択されると、プリンタ１０１は、印刷を中止する。一方、「そのまま印刷」が選択されると、プリンタ１０１は、判定該当色のトナーを用いて画像データをそのまま印刷する。一方、「別の色に置き換えて印刷」が選択されると、プリンタ１０１は、判定該当色の画像データを、置換色に置き換えて印刷する。例えば本実施の形態においては、用紙トレイ情報１５５において選択されている用紙種類が「黒色」であり、且つ選択されている印刷モードが「別の色に置き換えて印刷」の場合、「黒色」の用紙にブラックの画像を印刷しても、何が印刷されているか判別されにくい。そのためプリンタ１０１は、ブラックの画像をホワイトの画像に置き換えることにより、「黒色」の用紙でも判別されやすい画像を印刷できる。
【００８８】
印刷モード選択部１６２は、ユーザが選択した印刷モードを示す印刷モード情報を図１２に示す印刷モード情報１６１として記憶部１５４に保存する。印刷モード情報１６１は、印刷モード選択部１６２により選択されている印刷モードが保存されており、選択情報において「選択中」として示されている。図１２においては、例として「別の色に置き換えて印刷」が選択されている状態を示している。
【００８９】
記録媒体判定部１５３は、使用トナー色取得部６６が取得した画像データに含まれる色と、記憶部１５４に保存されている用紙トレイ情報１５５に基づき、用紙トレイ１７にセットされた用紙との組み合わせが印刷モードの判定が必要であるか否かを判定する。
【００９０】
印刷モード判定部１６０は、記憶部１５４に保存されている印刷モード情報１６１に基づき、選択されている印刷モードが何であるかを判定する。
【００９１】
［２−２．印刷処理手順］
次に、プリンタ１０１による印刷処理の具体的な処理手順について、図１３のフローチャートを用いて説明する。プリンタ１０１のユーザは、用紙トレイ１７に所定の用紙をセットし、ホストコンピュータ８２において印刷を指示する。印刷を指示されると、コマンド／画像処理部１４１は、ＲＯＭから印刷処理プログラムを読み出してＲＡＭに展開して実行することにより印刷処理手順ＲＴ２を開始し、ステップＳＰ２１へ移る。
【００９２】
ステップＳＰ２１においてコマンド／画像処理部１４１は、ホストインタフェース部４０を介してホストコンピュータ８２から画像データを受信し、ステップＳＰ２２へ移る。コマンド／画像処理部１４１は、受信した画像データを展開処理して１ページ毎の印刷用ビットマップデータを各色に対応して生成する。
【００９３】
ステップＳＰ２２においてコマンド／画像処理部１４１は、解釈した画像データにどの色の画像データが含まれているかを示す色情報を使用トナー色取得部６６により取得し、ステップＳＰ２３へ移る。
【００９４】
ステップＳＰ２３においてコマンド／画像処理部１４１は、使用トナー色取得部６６が取得した画像データに含まれる色情報と、記憶部１５４に保存されている用紙トレイ情報１５５とに基づき、画像データに含まれる色と用紙トレイ１７にセットされた用紙の色との組み合わせが印刷モードの判定が必要か否かを判定する。ここで否定結果が得られると、このことは印刷モードの判定が不要であることを表し、このときコマンド／画像処理部１４１はステップＳＰ２６へ移る。一方ステップＳＰ２３において肯定結果が得られると、このことは印刷モードの判定が必要であることを表し、このときコマンド／画像処理部１４１はステップＳＰ２４へ移る。
【００９５】
ステップＳＰ２４においてコマンド／画像処理部１４１は、印刷モード選択部１６２により、オペレーションパネル１３７に印刷モードの選択画面を表示し、ユーザに印刷モードを選択させ、印刷モード情報１６１として記憶部１５４に記憶し、ステップＳＰ２５へ移る。ステップＳＰ２５においてコマンド／画像処理部１４１は、記憶部１５４に保存された印刷モード情報１６１に基づき、選択されている印刷モードが何であるかを印刷モード判定部１６０により判定する。選択されている印刷モードが「印刷中止」の場合、コマンド／画像処理部１４１は印刷を中止し、ステップＳＰ２９へ移り印刷処理手順ＲＴ２を終了する。一方、選択されている印刷モードが「そのまま印刷」の場合、コマンド／画像処理部１４１はステップＳＰ２６へ移り、１ページごとのビットマップデータをコマンド／画像処理部１４１によりＬＥＤヘッドインタフェース部４２に送信して印刷動作を実行し、ステップＳＰ２９へ移り印刷処理手順ＲＴ２を終了する。
【００９６】
一方、選択されている印刷モードが「別の色に置き換えて印刷」の場合、コマンド／画像処理部１４１はステップＳＰ２７へ移り、使用トナー色置換部７２により、該当する色データを用紙トレイ情報１５５に保存されている置換色の色データへ置き換え、ステップＳＰ２８へ移り、１ページごとのビットマップデータをＬＥＤヘッドインタフェース部４２に送信して印刷動作を実行し、ステップＳＰ２９へ移り印刷処理手順ＲＴ２を終了する。印刷動作については、第１の実施の形態と同じ動作であるため、説明は省略する。
【００９７】
［２−３．動作及び効果］
以上の構成においてプリンタ１０１は、使用するトナーの色と用紙の色との組み合わせが、用紙トレイ情報１５５に登録された組み合わせであった場合、「印刷中止」、「そのまま印刷」及び「別の色に置き換えて印刷」の何れかの印刷モードをユーザに選択させるようにした。
【００９８】
ここで「別の色に置き換えて印刷」の印刷モードがユーザに選択された場合、プリンタ１０１は、白色の印刷用紙にホワイトトナーで印刷する場合はブラックトナーに、黒色の印刷用紙にブラックトナーで印刷する場合はホワイトトナーに、赤色の印刷用紙にマゼンタトナーで印刷する場合はシアントナーに、青色の印刷用紙にシアントナーで印刷する場合はイエロートナーに、緑色の印刷用紙にイエロートナーで印刷する場合はマゼンタトナーに、すなわち判定該当色の色を、該判定該当色の補色に近い色へそれぞれ置換するようにした。これによりプリンタ１０１は、使用するトナーの色と用紙の色との組み合わせにより印刷した画像が判別されにくくなることを防ぎ、良好な画像を形成することができる。
【００９９】
また「印刷中止」の印刷モードがユーザに選択された場合、プリンタ１０１は、印刷を中止することにより、用紙の色に対するトナーの色が不的確であったために印刷を中止したいというユーザの意図を反映することができる。
【０１００】
また「そのまま印刷」の印刷モードがユーザに選択された場合、プリンタ１０１は、画像データをそのまま印刷するようにした。これによりプリンタ１０１は、用紙の色に対し似ているトナーの色で印刷するため印刷された画像が見にくくなる可能性を有しながらも印刷を続行したいというユーザの意図を反映することができる。
【０１０１】
このようにプリンタ１０１は、使用するトナーの色と用紙の色との組み合わせが用紙トレイ情報１５５に登録された組み合わせであった場合、３つの印刷モードをユーザに選択させるようにした。これによりプリンタ１０１は、画像の品質（見やすさ）を考慮したユーザの意思を反映させて、ユーザ所望の印刷物を作成することができる。
【０１０２】
その他第２の実施の形態によるプリンタ１０１は、第１の実施の形態によるプリンタ１とほぼ同様の作用効果を奏する。
【０１０３】
［３．他の実施の形態］
なお上述した第１の実施の形態においては、第１ＵＶトナー印刷画像を形成した後、該第１ＵＶトナー印刷画像の上面において第２ＵＶトナー印刷画像を全面に形成し、第１ＵＶトナー印刷画像をオーバーコートする場合について述べた。本発明はこれに限らず、第２ＵＶトナー印刷画像を全面に形成した後、該第２ＵＶトナー印刷画像の上面において、第１ＵＶトナー印刷画像を形成する、すなわち第１ＵＶトナー印刷画像を第２ＵＶトナー印刷画像でアンダーコートしても良い。第１ＵＶトナー印刷画像の前面及び背面のどちらに第２ＵＶトナー印刷画像が形成されても、可視光下においては第１ＵＶトナー印刷画像と第２ＵＶトナー印刷画像との違いが視認されることは困難であるため、プリンタは、第１ＵＶトナー印刷画像を見立ちにくくさせることができると共に、紫外光下においては該第１ＵＶトナー印刷画像を視認させることができる。
【０１０４】
また上述した第１の実施の形態においては、第１ＵＶトナー印刷画像を形成した後、該第１ＵＶトナー印刷画像の上面において第２ＵＶトナー印刷画像を全面に形成する場合について述べた。本発明はこれに限らず、第１ＵＶトナー印刷画像が、例えば１ページ内の一部にしか配されていない場合、１ページ全面ではなく、第１ＵＶトナー印刷画像だけを覆うように、１ページ内の一部において第２ＵＶトナー印刷画像を形成するようにしても良い。また、第１ＵＶトナー印刷画像の領域だけの背面に位置するように、第２ＵＶトナー印刷画像を形成しても良い。
【０１０５】
また上述した第１の実施の形態においては、第１ＵＶトナー印刷画像に第２ＵＶトナー印刷画像を重ねて形成する場合について述べた。本発明はこれに限らず、第１ＵＶトナー印刷画像に、ブラック、イエロー、マゼンタ及びシアンを用いた有色の画像を重ねて形成しても良い。その場合も、可視光下においては第１ＵＶトナー印刷画像を目立ちにくくすることができると共に、紫外光下においては第１ＵＶトナー印刷画像を視認させることができる。
【０１０６】
さらに上述した実施の形態においては、有色トナーに加えて、ＵＶトナー（蛍光現像剤としての蛍光トナー）を用いる場合について述べた。本発明はこれに限らず、紫外線以外の他の特定の波長で発光するトナーや、電磁波等で発光するトナー等を含む、発光現像剤としての発光トナーを用いても良い。ここで、発光トナーとは、トナー画像外部からエネルギーが加えられてトナー内の発色剤の電子が基底状態から励起状態に遷移した後に再び基底状態に戻るときに光を放出するトナーである。
【０１０７】
さらに上述した第１の実施の形態においては、印刷処理手順ＲＴ１（図７）のステップＳＰ４においてオペレーションパネル３７に印刷モードの選択画面を表示し、ユーザに印刷モードを選択させる場合について述べた。本発明はこれに限らず、例えば予めユーザが印刷モードを選択しておき、予め選択した印刷モードの可否をステップＳＰ４において確認するようにしてもよい。第２の実施の形態においても同様である。
【０１０８】
さらに上述した第１の実施の形態においては、選択できる用紙種類として「普通紙」、「上質紙」、「厚紙」及び「透明フィルム」の４種類を設定する場合について述べた。本発明はこれに限らず、その他種々の用紙の種類に変更しても良い。
【０１０９】
さらに上述した第１の実施の形態においては、選択できる印刷モードとして「印刷中止」、「そのまま印刷」、「ＵＶトナーの画像データのみ印刷しない」及び「第２のＵＶトナーによるオーバーコート」の４種類を設定する場合について述べた。本発明はこれに限らず、その他種々の印刷モードの種類に変更しても良い。
【０１１０】
さらに上述した第２の実施の形態においては、選択できる用紙種類として「白色」、「黒色」、「赤色」、「青色」及び「緑色」の５種類を設定する場合について述べた。本発明はこれに限らず、その他種々の用紙の種類に変更しても良い。
【０１１１】
さらに上述した第２の実施の形態においては、選択できる印刷モードとして「印刷中止」、「そのまま印刷」及び「別の色に置き換えて印刷」の３種類を設定する場合について述べた。本発明はこれに限らず、その他種々の印刷モードの種類に変更しても良い。
【０１１２】
さらに上述した第２の実施の形態においては、白色の印刷用紙にホワイトトナーで印刷する場合はブラックトナーに、黒色の印刷用紙にブラックトナーで印刷する場合はホワイトトナーに、赤色の印刷用紙にマゼンタトナーで印刷する場合はシアントナーに、青色の印刷用紙にシアントナーで印刷する場合はイエロートナーに、緑色の印刷用紙にイエロートナーで印刷する場合はマゼンタトナーに、それぞれ置換する場合について述べた。本発明はこれに限らず、用紙種類の色と、判定該当色と、置換色との組み合わせは、他の種々の組み合わせであっても良い。
【０１１３】
さらに上述した第２の実施の形態においては、判定該当色の画像データを、用紙トレイ情報１５５に予め設定された置換色に置換する場合について述べた。本発明はこれに限らず、ステップＳＰ２４において「別の色に置き換えて印刷」の印刷モードが選択された場合、任意の置換色をユーザに選択させても良い。
【０１１４】
さらに上述した第１の実施の形態においては、用紙トレイ１７にユーザがセットした用紙の用紙種類を印刷が行われる前にユーザに選択させ、用紙トレイ情報５５として記憶する場合について述べた。本発明はこれに限らず、用紙の色を識別するセンサを用紙トレイ１７に設けることにより、用紙トレイ１７にセットされた用紙の種類を自動的に判別しても良い。第２の実施の形態においても同様である。
【０１１５】
さらに上述した第１の実施の形態においては、用紙トレイ情報５５及び印刷モード情報６１をプリンタ１に内蔵された記憶部５４に記憶させる場合について述べた。本発明はこれに限らず、用紙トレイ情報５５及び印刷モード情報６１をプリンタ１の外部の記憶部に記憶させても良い。第２の実施の形態においても同様である。
【０１１６】
さらに上述した第１の実施の形態においては、選択可能な用紙種類の一種として透明な透明フィルムが設定される場合について述べた。本発明はこれに限らず、完全に透明ではなく、半透明な用紙であっても良い。
【０１１７】
さらに上述した実施の形態においては、潜像形成手段としてＬＥＤヘッドを用いる場合について述べた。本発明はこれに限らず、レーザ光源等、種々の手段でも良い。
【０１１８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１９】
さらに上述した実施の形態においては、電子写真方式のプリンタ１及び１０１に本発明を適用する場合について述べた。本発明はこれに限らず、例えばコピー機、ＦＡＸ機等、外部から印刷データやスキャン画像データ等を入力して画像を形成する種々の装置に本発明を適用しても良い。
【０１２０】
さらに上述した実施の形態においては、現像剤種類判定手段としての記録媒体判定部５３又は１５３と、用紙種類判定手段としての印刷モード判定部６０又は１６０と、印刷方法選択手段としての印刷モード選択部６２又は１６２とによって、画像形成装置としてのプリンタ１又は１０１を構成する場合について述べた。しかしながら本発明はこれに限らず、その他種々の構成でなる現像剤種類判定手段と、用紙種類判定手段と、印刷方法選択手段とによって画像形成装置を構成しても良い。
【産業上の利用可能性】
【０１２１】
本発明は、プリンタに画像を印刷させるコンピュータの他、イメージスキャナやファクシミリ装置、或いは複写機等、画像に関する種々の処理を行う種々の電子機器でも利用できる。
【符号の説明】
【０１２２】
１、１０１……プリンタ、２……印刷機構、３……帯電ローラ、４……感光ドラム、５……現像ローラ、６……現像ブレード、７……供給ローラ、８……除電光源、９……トナーカードリッジ、１０……１次転写ローラ、１１……ＬＥＤヘッド、１２……中間転写ベルト、１３……駆動ローラ、１４……従動ローラ、１５……用紙搬送路、１６……給紙機構、１７……用紙トレイ、１８……ホッピングローラ、１９……レジストローラ、２０……レジストローラ、２１……搬送ガイド、２２……給紙センサ、２３……２次転写ローラ、２４……２次転写対向ローラ、２５……クリーニングブレード、２６……廃トナータンク、２７……搬送ガイド、２８……２次転写排出センサ、２９……定着機構、３０……ヒートローラ、３１……加圧ローラ、３２……ヒータ、３３……サーミスタ、３４……定着排出センサ、３５……スタッカ、３６……搬送ガイド、３７、１３７……オペレーションパネル、３８……搬送ローラ、３９……搬送ローラ、４０……ホストインタフェース部、４１、１４１……コマンド／画像処理部、４２……ＬＥＤヘッドインタフェース部、４３……機構制御部、４４……ホッピングモータ、４５……レジストモータ、４６……ベルトモータ、４７……ドラムモータ、４８……搬送モータ、４９……ヒータモータ、５０……高圧制御部、５１、１５１……用紙トレイ情報選択部、５２、１５２……印刷制御ユニット、５３、１５３……記録媒体判定部、５４、１５４……記憶部、５５、１５５……用紙トレイ情報、５６……搬送ローラ、５７……搬送ローラ、５８……搬送ローラ、５９……搬送ローラ、６０、１６０……印刷モード判定部、６１、１６１……印刷モード情報、６２、１６２……印刷モード選択部、６３……ＵＶトナー使用判定部、６４……記憶部、６５……記憶部、６６……使用トナー色取得部、７２……使用トナー色置換部、７４……筐体、８０、１８０……印刷システム、８２……ホストコンピュータ、８４……制御部、８６……記憶部、８８……通信部、９０……操作部、９２……表示部。
【図１】
2016177173.tif 000003
【図２】
2016177173.tif 000004
【図３】
2016177173.tif 000005
【図４】
2016177173.tif 000006
【図５】
2016177173.tif 000007
【図６】
2016177173.tif 000008
【図７】
2016177173.tif 000009
【図８】
2016177173.tif 000010
【図９】
2016177173.tif 000011
【図１０】
2016177173.tif 000012
【図１１】
2016177173.tif 000013
【図１２】
2016177173.tif 000014
【図１３】
2016177173.tif 000015